(57)【特許請求の範囲】
【請求項１】
少なくとも表裏２枚のフィルムの周縁をシールして成る充填部とこの充填部に連設する係合部とを具備し、ディスペンサー容器のディスペンサーの頂部を係合部に挿入、係合させ、容器に一体的に装着するようにした詰め替え用の包装袋であって、係合部は連設用シール部を介して充填部の上方に連設されていると共に、この連設用シール部に沿っては前記ディスペンサーの頂部を挿入するためのスリットが設けられ、スリットの部分で開口されてポケット状になっており、かつ前記ディスペンサーの頂部の両側端部を係止するための突起が一対設けられ、さらに前記係合部の側辺シール部の一部には前記ディスペンサー容器のノズル部を突出させて係止するための係止孔が設けられていることを特徴とする包装袋。
【発明の詳細な説明】
【０００１】
【発明の属する技術分野】
本発明は、シャンプー、洗剤等の液状物を充填する包装袋、さらに詳しくは、シャンプー、洗剤等の液状物を充填し、必要に応じてシリンダー内のピストンの往復運動によりノズル先端から液状物を流出させるディスペンサー容器に補充する液状物を充填しておく詰め替え用の包装袋に関する。
【０００２】
【従来の技術】
従来、シャンプー、リンス、食器用洗剤、衣料用洗剤等の液状物をシリンダー内のピストンの往復運動により吸い上げ、加圧し、その適量をノズル先端から流出させるタイプのディスペンサー容器が種々の分野で使われている。
また、最近では資源の節約や経済的な側面から、充填されていた液状物が無くなった場合、その都度新しいディスペンサー容器を買い求めず、詰め替え用の包装袋に充填されている液状物を空になったディスペンサー容器に詰め替えることにより、容器を再利用することがよく行われるようになっている。
【０００３】
この詰め替え用の包装袋としては、プラスチックフィルム等の軟包装材料の周縁を溶融・接着等してなるスタンディングパウチやガゼット袋や三方シール袋等の袋が利用されている。
【０００４】
これらの詰め替え用の包装袋は、単品で売られていたり、図４に示すように、ディスペンサー容器に一体的に装着して展示、販売されている。図４は従来の詰め替え用の包装袋とトリガータイプディスペンサー容器にこの詰め替え用の包装袋が装着されているときの様子を示している。すなわち、この従来例においては、例えば図４のａに示すように、ヒートシール性を有する表裏２枚のプラスチックフィルムの周縁部をヒートシールして得られる充填部１とそれに連設する係合部２とを具備する詰め替え用の包装袋３を、図４のｂに示すように、その係合部２の一側端の挿入口４にディスペンサー容器７のディスペンサーの頂部８を挿入した後、頂部８を係合部２で包み込み、ディスペンサー容器７に一体的に装着するようになっている。この包装袋３は図からも明らかなように、係合部２のシール部５の一部を半島状に融着することにより得られる一対の突起６が形成されており、ディスペンサー容器７のディスペンサーの頂部８を係合部２の開口された挿入口４から挿入させると、ここにディスペンサーの頂部８の長手方向両端部が引っかかり、係止できるようになっている。
【０００５】
しかし、このようにして容器に一体的に装着するタイプの包装袋は、ディスペンサーの頂部に係合部を単に被せて融着部の半島状の突起で止めるだけの構造であるため、容器から外れやすく、しかも容器に対するホールド性に欠けていた。
【０００６】
一方、図５は、詰め替え用の包装袋とこの包装袋がポンプディスペンサー容器に一体的に装着されている、いわゆる「首掛けパック方式」と言われる詰め替え用の包装袋の装着状態を示している。この包装袋１０は図５のａに示すように、ヒートシール性を有する表裏２枚のプラスチックフィルムの周縁部をヒートシールして得られる充填部１１と、ディスペンサー容器１４の首部１５に嵌合させるための嵌合用の穴１３を１個設けた係合部１２を前記充填部１１に連設させた構成となっている。
【０００７】
このような構成の包装袋１０は図５のｂに示すように、穴１３に容器の首部１５を嵌合させた後、充填部１１をディスペンサー容器１４の肩部と側壁に沿って垂れ下げるようにしてディスペンサー容器１４に一体的に装着するようになっている。
【０００８】
しかし、このような包装袋１０は装着時に首部１５を中心として不用意に回転してしまい、装着時の安定性に欠けていた。また、包装袋１０のディスペンサー容器１４への装着に際しては、ディスペンサー容器１４から一旦外した後、穴１３に首部１５を嵌合させてからディスペンサーを容器に再セットする必要があった。
【０００９】
【発明が解決しようとする課題】
本発明は上記の事情に鑑みなされたものであり、ディスペンサー容器に装着して使用される詰め替え用の包装袋であって、容器に一体的に、かつ簡便、迅速に装着でき、しかも容器上部に広告、宣伝部分を設定しつつディスペンサーの頂部の汚れをも防止することが可能な包装袋を提供することを目的とする。
【００１０】
【課題を解決するための手段】
上記目的を達成するため、請求項１の発明は、少なくとも表裏２枚のフィルムの周縁をシールして成る充填部とこの充填部に連設する係合部とを具備し、ディスペンサー容器のディスペンサーの頂部を係合部に挿入、係合させ、容器に一体的に装着するようにした詰め替え用の包装袋であって、係合部は連設用シール部を介して充填部の上方に連設されていると共に、この連設用シール部に沿っては前記ディスペンサーの頂部を挿入するためのスリットが設けられ、スリットの部分で開口されてポケット状になっており、かつ前記ディスペンサーの頂部の両側端部を係止するための突起が一対設けられ、さらに前記係合部の側辺シール部の一部には前記ディスペンサー容器のノズル部を突出させて係止するための係止孔が設けられていることを特徴とする包装袋である。
【００１１】
【発明の実施の形態】
以下、本発明による一実施形態につき図面を参照にして説明する。
【００１２】
図１は本発明の一実施形態による包装袋の概略の構成を示す説明図、図２はこの包装袋のトリガータイプディスペンサー容器への装着状態を示す説明図である。
本実施形態による包装袋２０は、図１に示すように、基本的には、表裏２枚のフィルムの周縁をシールして成る充填部２１とこの充填部２１の上方に連設用シール部２３介して連設されている係合部２２と、連設用シール部２３に沿って設けられたスリット２４、ならびに係合部両側の側辺シール部２５の中央近辺に設けられた突起２６、２６とを少なくとも具備する。
【００１３】
包装袋に使用されるフィルムは、溶融接着可能な公知のものを使用することができる。具体的には、ポリプロピレンフィルム、ポリエステルフィルム、ポリアミドフィルム等の各種フィルムを基材とし、これらに線状低密度ポリエチレン、低密度ポリエチレン、ポリプロピレン、エチレン−酢酸ビニール共重合体等のポリオレフィン系の熱接着性樹脂をシーラント層として積層した複合フィルム等が使用できる。
【００１４】
これらのフィルムにはガスバリアー性を向上させるために、珪素、アルミニウム、チタン等の無機化合物蒸着層を設けたりしてもよい。
【００１５】
包装袋はこれらのフィルムを用いてインパルスシールや熱板シール等の熱溶融接着手段により周縁等を溶融接着することにより製袋する。
本実施形態においては、図にも示すように、これらの熱溶融接着手段により側辺シール部２５並びに連設用シール部２３等で接着することにより、充填部２１とそれに連設される係合部２２とを具備する包装袋２０としている。
【００１６】
係合部２２はこの包装袋２０をトリガータイプディスペンサー容器３０に一体的に装着するための部分であり、連設用シール部２３に沿って設けられた、ディスペンサーの頂部３２を挿入させるためのスリット２４を有すると共に、側辺シール部２５の中央近辺にはこのスリット２４からポケット状の係合部２２内に挿入したディスペンサーの頂部３２の両側端部３３、３４を係止させるための突起２６，２６が一対設けられている。
【００１７】
図２にはこれトリガータイプディスペンサー容器３０のディスペンサーの頂部３２を包装袋２０のスリット２４から挿入し、一対の突起２６、２６でディスペンサーの頂部３２の両側端部３３、３４で係止して、トリガータイプディスペンサー容器３０に一体的に装着したときの様子を示している。
【００１８】
この様に、この包装袋はポケット状の係合部をディスペンサーの頂部に被せる簡便な操作だけで、迅速にかつ確実に容器に装着することができる。容器への装着をより一体的にするため、包装袋側面が容器の側壁に密着して装着されるように、例えば包装袋の水平方向での断面形状が三日月状の形状になるようにしておいても良い。
また、包装袋を装着後はディスペンサーの頂部全体が係合部で包まれることになるので頂部の汚れを防ぐことができる。
【００１９】
一方、この包装袋２０は係合部２２が表示部となっている。この部分は広告文面等を表示してあるところである。この部分は容器への装着時にディスペンサーの頂部に位置するようになり、広告、表示が的確に行われるようになる。
【００２０】
また、充填部の上部には、液状物を容器に詰め替える時に充填し易いようにした注出口
やこの注出口を開口し易くするための切り欠き等（図示せず）を適宜必要に応じて設けておく。
【００２１】
一方、図３には本発明の他の実施形態が示してある。
この包装袋は図３においてはその一部しか示していないが、基本的な構成は前述した包装袋２０と同じであり、係合部４２の構成が一部異なっている。すなわち、図に示すように、この係合部４２は、連設用シール部２３を介して充填部２１の上方に連設されていると共に、連設用シール部２３に沿ってディスペンサーの頂部を挿入するために設けられたスリット２４が設けられ、かつ両側の側辺シール部の中央近辺には挿入されたディスペンサーの頂部の両側端を係止するための一対の突起２６、２６が設けられている点では前述した包装袋２０の係合部２２と同じ構成であるが、ディスペンサーのノズル部４４を突出させて係止させるための係止孔４５が周辺シール部に設けられている点で異なっている。
この係止孔は包装袋を容器により一体的かつ確実に装着するために設けるものである。
【００２２】
以上、本発明の実施形態を装着対象の容器をトリガータイプのディスペンサー容器で説明をしたが、装着対象の容器はこれに限定されることはなく、ポンプディスペンサー容器等のその他種々の形態のディスペンサー容器に適用可能である。
また、袋の構成は上述した構成を具備していればその形態は特に限定されず、スタンディングパウチやガゼット袋や三方シール袋等の種々の形態の袋が適用可能である。
【００２３】
【発明の効果】
本発明の詰め替え用の包装袋によれば、ディスペンサー容器に一体的に、かつ簡便で迅速に装着でき、しかも容器上部に広告、宣伝等のための表示部分を位置させつつディスペンサーの頂部の汚れをも防止することが可能である。
【図面の簡単な説明】
【図１】本発明の一実施形態による包装袋の概略を示す説明図である。
【図２】本発明の包装袋をトリガータイプディスペンサー容器に装着する際の様子を示す説明図である。
【図３】本発明の他の実施形態による包装袋をトリガータイプディスペンサー容器に装着する際の様子を示す説明図である。
【図４】従来の詰め替え用の包装袋とトリガータイプディスペンサー容器にこの詰め替え用の包装袋が装着される時の状態を示す説明図である。
【図５】従来の他の詰め替え用の包装袋と押圧タイプディスペンサー容器にこの詰め替え用の包装袋が装着される時の状態を示す説明図である。
【符号の説明】
１、１１、２１    充填部
２、２２、４２    係合部
３、１０、２０    包装袋
５                シール部
７、３０          トリガータイプディスペンサー容器
８、３２          頂部
３３、３４        両側端部
２３              連設用シール部
２４              スリット
２５              側辺シール部
２６              突起
４４              ノズル部
４５              係止孔
１３              穴
１４              ディスペンサー容器
１５              首部
【図１】
0004622062.tif 000002
【図２】
0004622062.tif 000003
【図３】
0004622062.tif 000004
【図４】
0004622062.tif 000005
【図５】
0004622062.tif 000006